(57)【要約】【課題】回転操作部材の中央にある押し込み可能な中央ボタンがある構成において、回転操作部材と中央ボタンの隙間が均一で回転操作部材の回転動作においてぐらつきがなく、その回転動作につられて中央ボタンが回転方向に動くことがない構造について提案する。【解決手段】外装カバー（５）に回転自在に軸支された回転操作部材（８）と、前記回転操作部材（５）の回転中心部に配置された回転軸方向に押圧可能な中央ボタン（９）と、前記中央ボタン（９）を押圧方向に移動可能に軸支し、かつ前記中央ボタン（９）の回転を規制する回転規制部材（１４）とを有し、前記回転規制部材（１４）は位置決め軸部（１４ｃ）と振れ止め部（１４ｅ）を備え、回転操作部材（８）に設けられた軸受部（８ｂ）によって前記位置決め軸部（１４ｃ）は軸支されて、前記振れ止め部（１４ｅ）は前記外装カバー（５）によって規制されていることを特徴とする。【選択図】図１
2020046606.tif 000002
【特許請求の範囲】
【請求項１】
外装カバーに回転自在に軸支された回転操作部材と、
前記回転操作部材の回転中心部に配置された回転軸方向に押圧可能な中央ボタンと、
前記中央ボタンを押圧方向に移動可能に軸支し、かつ前記中央ボタンの回転を規制する回転規制部材と、を有し、
前記回転規制部材は位置決め軸部と振れ止め部を備え、回転操作部材に設けられた軸受部によって前記位置決め軸部は軸支されて、前記振れ止め部は前記外装カバーによって規制されていることを特徴とする電子機器。
【請求項２】
前記回転規制部材は、前記位置決め軸部から前記振れ止め部に向かう方向に延びる第１の腕部と、前記位置決め軸部から前記第１の腕部とは異なる方向に延びる第２の腕部を有し、前記第１の腕部と前記第２の腕部にそれぞれ前記外装カバーと締結する締結部を備えたことを特徴とする請求項１に記載の電子機器。
【発明の詳細な説明】
【技術分野】
【０００１】
本発明は、デジタルカメラなどの電子機器において、回転操作部の構造に関する。
【背景技術】
【０００２】
近年、デジタルカメラなどの電子機器において、カメラの露出調整やＩＳＯ感度設定など各種設定における設定値を容易に変更するための回転操作部材が設けられている。また、図５のように、回転操作部材の回転操作によって変更できる設定項目を切り替えるための中央ボタンが回転操作部材の中心部に設けられている電子機器がある。こうすることで視覚的に回転操作部材と中央ボタンとの関連付けがしやすく、またデザイン的にも見栄えがよいため、このような配置となっている。
【０００３】
図５は従来例を示す回転操作部材と中央ボタンの図である。図５の（ａ）は上面図である。図５の（ｂ）は中央断面図で、図５の（ａ）のＺ−Ｚ断面を示している。図５の（ｃ）は下側から見た内部構造図である。
【０００４】
図５の（ｂ）で示すように、回転操作部材３１と中央ボタン３２のそれぞれの外観表面には金属キャップ３１ａ、３２ａが接着固定されており、中央ボタン３２上の金属キャップ３２ａには文字印刷３２ｂが施されている。
【０００５】
回転操作部材３１の軸部３１ｂが外装カバー３３の軸受部３３ａに挿入されて、回転操作部材３１は、外装カバー３３に対し回転自在に軸支されつつ、回転軸方向に垂直な平面において位置決めされている。また、中央ボタン３２は、軸部３２ｃが回転操作部材３１の軸受部３１ｃに挿入されて、中央ボタン３２の押し込み方向に移動自在に軸支されて、前述した回転軸方向に垂直な同平面において位置決めされている。中央ボタン３２の軸部３２ｃが回転操作部材３１の軸受部３１ｃと接しているため、回転規制がない場合、回転操作部材３１を回転操作した際に、中央ボタン３２と印刷文字３２ｂが回転してしまい、品位が低下するために回転規制が必要となる。
【０００６】
そこで、図５の（ｃ）に示すように、中央ボタン３２の先端に回転規制リブ３２ｄを設けて、回転規制部材３４の溝部３４ａに挿入することで、回転規制を行っている。回転規制部材３４は位置決め穴３４ｂと振れ止め長穴３４ｃを備えており、それぞれ外装カバー３３のボス部３３ｃが挿入されることで、回転規制部材３４は外装カバー３３に対して位置決めされて、ビスにより固定されている。
【０００７】
ただし、中央ボタン３２は回転操作部材３１を介して外装カバー３３に位置決めされ、回転規制部材３４も外装カバー３３に位置決めされているため、回転規制リブ３２ｄと溝部３４ａの隙間や、軸部３２ｃと回転規制部材３４の軸部受け３４ｄの隙間については、各部品寸法バラツキを加味した所定量の隙間を空けておかないと、各部品が干渉し、回転操作部材３１の操作荷重が重くなったり、中央ボタン３２の押し込み動作が渋くなったりするなどの問題が発生する。そのため、溝部３４ａや軸部受け３４ｄの回転規制部の隙間は所定量空けておく必要があるが、そうした場合、中央ボタン３２の十分な回転規制をすることができない。
【０００８】
特許文献１では、回転操作部材の中央に配置されている中央ボタンについては、ホルダー部材によって押し込み方向に移動自在に保持されており、回転規制も可能な構成となっている。また、回転操作部材もホルダー部材によって位置決めされて、ホルダー部材は板金部材を介して、外装カバーに固定されている。ただし、回転操作部材は外装カバーに直接回転自在に取り付けられていないため、回転操作部材と外装カバーとの干渉をさけるために、回転操作部材と外装カバーとは隙間を設ける必要があり、回転中心軸に向かって回転操作部材の側面を押しながら回す場合、ぐらつきが発生し品位に欠ける操作性となってしまう。また、回転操作部材と中央ボタンとを位置決めしていないため、回転操作部材と中央ボタンの隙間が不均一になる懸念があり、品位を低下させる要因となってしまう。
【先行技術文献】
【特許文献】
【０００９】
【特許文献１】特許第６１６６１６５号公報
【発明の概要】
【発明が解決しようとする課題】
【００１０】
図５で示した従来例では、回転規制部に所定量の隙間を空けておかないと、回転操作部材の操作荷重が重くなったり、中央ボタンの押し込み動作が渋くなったりするため、十分な回転規制ができず、回転操作部材の回転につられて、中央ボタンがわずかに回転してしまって品位に欠けるという問題があった。
【００１１】
また、特許文献１では回転操作部材が外装カバーに直接取りついていないため、回転操作をした際にぐらつきが生じて操作性の品位が欠ける。また、回転操作部材と中央ボタンの隙間が不均一になる懸念があり、外観品位を低下させる要因となってしまう。
【００１２】
そこで、本発明では、回転操作部材の回転中心部に押し込み可能な中央ボタンがある構成において、操作性・外観の品位を向上させることを目的として、回転操作部材と中央ボタンとの隙間が均一で回転操作部材の回転動作においてぐらつきがなく、その回転動作につられて中央ボタンが回転方向に動くことがない構造について提案する。
【課題を解決するための手段】
【００１３】
上記の目的を達成するために、本発明に係る電子機器は、
外装カバーに回転自在に軸支された回転操作部材と、前記回転操作部材の回転中心部に配置された回転軸方向に押圧可能な中央ボタンと、前記中央ボタンを押圧方向に移動可能に軸支し、かつ前記中央ボタンの回転を規制する回転規制部材とを有し、前記回転規制部材は位置決め軸部と振れ止め部を備え、回転操作部材に設けられた軸受部によって前記位置決め軸部は軸支されて、前記振れ止め部は前記外装カバーによって規制されていることとした。
【発明の効果】
【００１４】
本発明に係る電子機器によれば、回転操作部材と中央ボタンの隙間が均一で、回転操作部材の回転動作においてぐらつきがなく、その回転動作につられて中央ボタンが回転方向に動くことがなくなる。
【図面の簡単な説明】
【００１５】
【図１】ユニット断面図
【図２】カメラの図
【図３】回転操作部材周辺の部品構成を示す分解図
【図４】下側から見たユニット図
【図５】従来例を示す回転操作部材と中央ボタンの図であり、（ａ）は上面図、（ｂ）は中央断面図、（ｃ）は下側から見た内部構造図
【発明を実施するための形態】
【００１６】
以下に、本発明の好ましい実施の形態を、添付の図面に基づいて詳細に説明する。図１は、本発明の実施形態に関わる２段ダイヤルの図である。
【実施例１】
【００１７】
以下、図１〜４を参照して、本発明の実施例によるカメラについて説明する。図２はカメラの図である。同図において、カメラ１に備わる各機能部位について述べる。レンズ部２は被写体から光を不図示の撮像素子に映すための光学ユニットである。シャッターボタン３は押下されることで撮影を実行するボタンであり、ズームレバー４は、シャッターボタン３を中心として回動自在で、操作することによってレンズの焦点距離を変化させるための操作部材である。外装カバー５は、撮像素子や制御基板などの内部構造物を保護する筐体である。電源レバー６は、操作することでカメラの電源を起動させるための操作部材である。画像表示部７は撮影した画像情報を表示する。回転操作部材８は、矢印Ｃの方向に回転させることで、露出調整やＩＳＯ感度設定など各種設定における設定値を変更するための操作部材で、中央ボタン９は回転操作部材８の操作内容を切り替えるためのボタンであり、上面に印刷文字９ｃを備えているため、周囲に配置された回転操作部材８が回転しても、動かないように規制する必要がある。
【００１８】
図３は回転操作部材８周辺の部品構成を示す分解図である。クリック部材１１は外周に複数の凹凸形状を有し、不図示のバネに付勢された鋼球がクリック部材１１を外周から回転中心軸に向かって付勢して当接している。遮光板１２は等間隔に配置された遮光部１２ａを全周にわたって備えている。回転操作部材８とクリック部材１１と遮光板１２は一体的にビス１３によって締結されており、回転操作部材８とクリック部材１１とで、外装カバー５と電源レバー６を挟み込むように組み込まれている。
【００１９】
回転操作部材８の回転操作と共に遮光板１２が回転することで、遮光部１２ａが不図示のフォトインタラプタの発光受光部を遮光・透過をすることで回転操作部材８の回転を検知する。また、回転操作部材８の回転操作に伴ってクリック部材１１が回転し、外周の凹凸をコイルバネ２０（図１参照）に付勢された鋼球１９が乗り越えることで、回転操作部材８のクリック感を発生させている。
【００２０】
スプリング１０はコイルバネで、矢印Ｂで示す中央ボタン９の押し込み方向に対し、反対方向に中央ボタン９を付勢している。ブッシュ１５は中央ボタン９の溝部９ａに係合し、回転規制部材１４の裏側に当接することで、スプリング１０の付勢力に対抗し、中央ボタン９を保持している（図１参照）。回転規制部材１４は、中央ボタン９を押し込み方向に移動自在に保持し、かつ中央ボタン９の回転を規制する部品である。
【００２１】
次に図１、図４を用いて、回転操作部材８や中央ボタン９の保持構造について説明する。図４は、図３の部品を組み立てた状態を下側から見たユニット図である。図１は、図４のＡ−Ａでの断面を示したユニット断面図であり、図３で示した構成部品に加えて切り替えスイッチ部品などが含まれた図となっている。
【００２２】
図１で示すように、回転操作部材８は、軸部８ａを外装カバー５の軸受部５ａによって回転自在に軸支されており、外周部８ｃを回転中心軸Ｆに向かって押しながら回転操作しても、外装カバー５に対してぐらつくことなく良好な操作が可能である。
【００２３】
そして、中央ボタン９は軸部９ｂを回転規制部材１４の軸受部１４ｂによって、ボタン押し込み方向（矢印Ｂ方向）に移動可能に軸支されている。また、回転規制部材１４は、軸受部１４ｂと同心円となる軸部１４ｃが回転操作部材８の軸受部８ｂによって軸支されて位置決めされている。こうすることで、中央ボタン９は回転操作部材８に対して精度よく位置決めされて、中央ボタン９と回転操作部材８との隙間９ｅは均一にすることができる。
【００２４】
また、図４に示すように、回転規制部材１４は、回転中心軸Ｆから振れ止め用の長穴１４ｅの方向に向かって第１の腕部１４ｇ１が伸びており、長穴１４ｅは外装カバー５の振れ止め位置決めボス５ｂに嵌合されている。つまり、回転中心軸Ｆに垂直な平面上における回転規制部材１４の外装カバー５への位置決めについては、軸部１４ｃで回転操作部材８を介して位置決めされ（図１参照）、振れ止めは直接外装カバー５によって行われている。こうすることで、回転操作部材８の回転動作を阻害することなく、回転規制部材１４の外装カバー５への取り付けが可能となっている。
【００２５】
そして、中央ボタン９は軸部９ｂから回転中心軸Ｆに対して垂直に伸びる回転規制部９ｄを備えており、回転規制部材１４のキー溝１４ａと係合することで、回転方向（矢印Ｃ方向）への回転を規制している。
【００２６】
上述したように、中央ボタン９は、回転規制部材１４に軸支されつつ、回転規制部９ｄによって回転規制されているため、従来例の回転規制部の隙間Ｄに対し、本発明による中央ボタン９と回転規制部材１４との隙間ｄは、Ｄ＞ｄと小さくすることができ、十分な回転規制が可能となる。また、回転操作部材８と中央ボタン９との接触はないので、従来のように回転操作部材８の回転につられて、中央ボタン９が動くということがない構成となっている。
【００２７】
また、回転規制部材１４の第１の腕部１４ｇ１とは異なる方向に、軸部１４ｃから第２の腕部１４ｇ２が伸びており、第１の腕部１４ｇ１は締結部１４ｆ１、１４ｆ２によって、第２の腕部１４ｇ２は締結部１４ｆ３によって、外装カバー５にビスによって締結されている。こうすることで、回転規制部材１４の軸受部１４ｂが安定して鉛直に取り付けられ、回転操作部材８と中央ボタン９の隙間はより均一になり、外観品位が向上する。
【００２８】
図１で示すように、中央ボタン９の押し子先端９ｆの直下には、フレキシブル基板１７上に配置された切替スイッチ１６があり、中央ボタン９の押し込み動作によって切替スイッチ１６がオンされることで、制御基板へ信号が伝達されて回転操作部材８による操作内容を切り替える。フレキシブル基板１７は板金部材１８上に接着固定され、板金部材１８は外装カバー５に締結されている。前述したフォトインタラプタはフレキシブル基板１７上に実装されており、第１の腕部１４ｇ１と第２の腕部１４ｇ２を避けて配置することで、カメラの高さ方向の小型化を図っている。
【符号の説明】
【００２９】
１  カメラ本体、２  レンズ部、３  シャッターボタン、４  ズームレバー、
５  外装カバー、６  電源レバー、７  画像表示部、８  回転操作部材、
９  中央ボタン、１４  回転規制部材
【図１】
2020046606.tif 000003
【図２】
2020046606.tif 000004
【図３】
2020046606.tif 000005
【図４】
2020046606.tif 000006
【図５】
2020046606.tif 000007